(57)【要約】【課題】エレベータの利便性を向上させるエレベータ操作盤を提供する。【解決手段】実施形態のエレベータ操作盤は、第１ボタンと、タッチパネルと、表示制御部と、登録部と、異常検出部と、を備える。第１ボタンは、エレベータのかごの行先階以外の情報を入力可能である。タッチパネルは、画像を表示可能な表示画面を有し、当該表示画面に表示される画像に対するタッチ操作を検出可能である。表示制御部は、かごの行先階を入力可能な第２ボタンを表示画面に表示させる。登録部は、タッチパネルにより第２ボタンに対するタッチ操作が検出された場合、第２ボタンにより入力されたかごの行先階を登録する。異常検出部は、表示画面に表示される画像に対するタッチ操作が検出され、かつかごの行先階が登録されない場合、タッチパネルの異常を検出する。登録部は、タッチパネルの異常が検出された場合、第１ボタンによるかごの行先階の入力を可能とし、第１ボタンにより入力されたかごの行先階を登録する。【選択図】図２
2019043681.tif 000002
【特許請求の範囲】
【請求項１】
エレベータのかごの行先階以外の情報を入力可能な第１ボタンと、
画像を表示可能な表示画面を有し、当該表示画面に表示される画像に対するタッチ操作を検出可能なタッチパネルと、
前記かごの行先階を入力可能な第２ボタンを前記表示画面に表示させる表示制御部と、
前記タッチパネルにより前記第２ボタンに対するタッチ操作が検出された場合、前記第２ボタンにより入力された前記かごの行先階を登録する登録部と、
前記表示画面に表示される画像に対するタッチ操作が検出され、かつ前記かごの行先階が登録されない場合、前記タッチパネルの異常を検出する異常検出部と、を備え、
前記登録部は、前記タッチパネルの異常が検出された場合、前記第１ボタンによる前記かごの行先階の入力を可能とし、前記第１ボタンにより入力された前記かごの行先階を登録する、エレベータ操作盤。
【請求項２】
エレベータのかごの行先階以外の情報を入力可能な第１ボタンと、
画像を表示可能な表示画面を有し、当該表示画面に表示される画像に対するタッチ操作を検出可能なタッチパネルと、
前記かごの行先階を入力可能な第２ボタンを前記表示画面に表示させる表示制御部と、
前記タッチパネルにより前記第２ボタンに対するタッチ操作が検出された場合、前記第２ボタンにより入力された前記かごの行先階を登録する登録部と、
前記かご内における乗客の滞留を検出する滞留検出部と、を備え、
前記登録部は、前記かご内において乗客の滞留が検出され、かつ前記かごの行先階が登録されない場合、前記第１ボタンによる前記かごの行先階の入力を可能とし、前記第１ボタンにより入力された前記かごの行先階を登録する、エレベータ操作盤。
【請求項３】
前記異常検出部は、前記第２ボタンに対するタッチ操作が検出されず、前記表示画面において前記第２ボタンが表示される領域以外の領域に対するタッチ操作が検出された場合、前記タッチパネルの異常を検出する請求項１に記載のエレベータ操作盤。
【請求項４】
前記滞留検出部は、前記かご内の乗客から放出される赤外線を検出可能な焦電センサから、赤外線の検出結果の取得し、前記焦電センサにより赤外線が検出されかつ前記かごの行先階が登録されない場合、前記かご内における乗客の滞留を検出する請求項２に記載のエレベータ操作盤。
【請求項５】
前記滞留検出部は、前記かごにかかる荷重が予め設定された荷重以上であり、かつ前記かごの行先階が登録されない場合、前記かご内における乗客の滞留を検出する請求項２に記載のエレベータ操作盤。
【請求項６】
前記表示制御部は、前記異常検出部によって前記タッチパネルの異常が検出された場合、前記第１ボタンによる前記かごの行先階の入力方法を示す情報を、前記表示画面または当該表示画面とは異なる表示部に表示させる請求項１または３に記載のエレベータ操作盤。
【請求項７】
前記かご内において乗客の滞留が検出されてから予め設定された時間が経過するまで、前記第２ボタンによる前記かごの行先階の入力を促す第１音声を出力し、前記かご内において乗客の滞留が検出されてから、前記第２ボタンによって前記かごの行先階が入力されずに、前記予め設定された時間が経過した場合、前記タッチパネルの異常と判断して、前記第１ボタンによる前記かごの行先階の入力方法を示す第２音声を出力する出力部をさらに備える請求項２、４、または５に記載のエレベータ操作盤。
【発明の詳細な説明】
【技術分野】
【０００１】
本発明の実施形態は、エレベータ操作盤に関する。
【背景技術】
【０００２】
エレベータの利用者が行先階の登録を行うエレベータ操作盤において、利用者が行先階の入力に用いるインタフェースとしてタッチパネルを採用したものが開発されている。タッチパネルを備えるエレベータ操作盤は、押しボタン式のエレベータ操作盤と比較して、画像の表示能力が高く、様々な情報を利用者に提供できることに加え、表示する画像のレイアウトの柔軟性に優れている。
【０００３】
しかしながら、タッチパネルを備えるエレベータ操作盤は、タッチパネルが故障した場合、サービスマン等によって、タッチパネルが異常から復旧するまで、エレベータのかごの行先階の登録を行うことができず、利便性に欠ける。
【先行技術文献】
【特許文献】
【０００４】
【特許文献１】特許第５１１５５５４号公報
【発明の概要】
【発明が解決しようとする課題】
【０００５】
本発明が解決しようとする課題は、タッチパネルに異常が発生した場合でも、エレベータのかごの行先階を登録可能として、利便性を向上させるエレベータ操作盤を提供する。
【課題を解決するための手段】
【０００６】
実施形態のエレベータ操作盤は、第１ボタンと、タッチパネルと、表示制御部と、登録部と、異常検出部と、を備える。第１ボタンは、エレベータのかごの行先階以外の情報を入力可能である。タッチパネルは、画像を表示可能な表示画面を有し、当該表示画面に表示される画像に対するタッチ操作を検出可能である。表示制御部は、かごの行先階を入力可能な第２ボタンを表示画面に表示させる。登録部は、タッチパネルにより第２ボタンに対するタッチ操作が検出された場合、第２ボタンにより入力されたかごの行先階を登録する。異常検出部は、表示画面に表示される画像に対するタッチ操作が検出され、かつかごの行先階が登録されない場合、タッチパネルの異常を検出する。登録部は、タッチパネルの異常が検出された場合、第１ボタンによるかごの行先階の入力を可能とし、第１ボタンにより入力されたかごの行先階を登録する。
【図面の簡単な説明】
【０００７】
【図１】図１は、本実施形態にかかるエレベータ操作盤の外観の一例を示す図である。
【図２】図２は、本実施形態にかかるエレベータ操作盤の機能的な構成の一例を示すブロック図である。
【図３】図３は、本実施形態にかかるエレベータ操作盤における行先階の登録処理の流れの一例を示すフローチャートである。
【発明を実施するための形態】
【０００８】
以下、実施形態のエレベータ操作盤について、図面を参照しながら詳細に説明する。実施形態のエレベータ操作盤は、エレベータの利用者が行先階の登録するために操作するものであり、エレベータの利用者による行先階の入力に用いるインタフェースとしてタッチパネルを備える。以下の説明では、エレベータのかご内に設けられたエレベータ操作盤を想定して、より詳細な実施形態を説明する。また、実施形態のエレベータ操作盤は、かごが着床する乗り場に設け、行先階を登録するための操作を乗場にて行うようにしても良い。
【０００９】
図１は、本実施形態にかかるエレベータ操作盤の外観の一例を示す図である。エレベータ操作盤１は、エレベータの袖壁に設置され、エレベータのかごに乗り込んだ利用者が行先階を登録するための操作が可能である。エレベータ操作盤１は、図１に示すように、タッチパネル２と、インジケータ３と、スピーカ４と、非常呼びボタン５と、戸開ボタン６と、戸閉ボタン７と、を備える。
【００１０】
タッチパネル２は、液晶パネルなどの表示画面２ａと、タッチパッドなどの位置入力装置２ｂと、を有し、行先階を登録する利用者による各種操作の入力を可能とするインタフェースとして機能する。表示画面２ａは、各種画像を表示可能であり、例えば、エレベータのかごが着床可能な階床（停止階、行先階）を入力可能とする階床ボタン８を表示する。本実施形態では、表示画面２ａは、かごが着床可能な階床ごとの階床ボタン８を表示する。位置入力装置２ｂは、表示画面２ａに表示される階床ボタン８などの画像に対するタッチ操作（例えば、タップ）を検出可能である。
【００１１】
インジケータ３は、エレベータのかごの運行状況やＣＭ等の各種情報を表示可能な表示装置である。本実施形態では、インジケータ３は、かごの現在位置を示す階床情報３ａ、かごの移動方向（例えば、上昇や下降）を示す方向情報３ｂ等を表示する。本実施形態では、インジケータ３をタッチパネル２とは別に設けているが、インジケータ３の機能をタッチパネル２に持たせて、タッチパネル２において、階床情報３ａや方向情報３ｂを表示可能としても良い。
【００１２】
スピーカ４は、各種音声を出力する出力部である。非常呼びボタン５は、ブザーの出力やエレベータのかごを各階に停止させる防犯運転への切り替え等の指示を入力可能な押しボタンである。戸開ボタン６は、エレベータのドアを開かせることを指示する開指示を入力可能な押しボタンである。戸閉ボタン７は、エレベータのドアを閉じることを指示する閉指示を入力可能な押しボタンである。
【００１３】
図２は、本実施形態にかかるエレベータ操作盤の機能的な構成の一例を示すブロック図である。エレベータ操作盤１は、図２に示すように、タッチパネル２、インジケータ３、スピーカ４、非常呼びボタン５、戸開ボタン６、および戸閉ボタン７に加えて、これらの動作を制御するコントロールユニット１０を備える。コントロールユニット１０は、例えば、テールコードなどのケーブル内の信号線を介して、エレベータ全体の動作を制御するエレベータ制御装置２０に接続されている。
【００１４】
コントロールユニット１０は、例えば、ＣＰＵ（Central  Processing  Unit）やＧＰＵ（Graphics  Processing  Unit）などのプロセッサと、当該プロセッサのワークエリアとして機能するＲＡＭ（Random  Access  Memory）などの主記憶メモリと、制御プログラムを格納するＲＯＭ（Read  Only  Memory）などのプログラムメモリと、を備える。本実施形態では、プロセッサが、プログラムメモリに記憶される制御プログラムを主記憶メモリ上に読み出して実行することにより、表示制御部１０１、登録部１０２、異常検出部１０３、滞留検出部１０４、および音声出力制御部１０５の各機能がコントロールユニット１０において実現される。表示制御部１０１、登録部１０２、異常検出部１０３、滞留検出部１０４、および音声出力制御部１０５の各機能は、その一部または全部をＡＳＩＣ（Application  Specific  Integrated  Circuit）やＦＰＧＡ（Field  Programmable  Gate  Array）などの専用のハードウェアを用いて実現しても良い。
【００１５】
表示制御部１０１は、階床ボタン８を表示画面２ａに表示させる。また、表示制御部１０１は、階床情報３ａや方向情報３ｂをインジケータ３に表示させる。また、表示制御部１０１は、階床ボタン８に対するタッチ操作が検出されて、いずれかの階床が行先階として登録された場合に、行先階の階床ボタン８を他の階床ボタン８より明るく表示したり、点滅させたりすることも可能である。
【００１６】
また、表示制御部１０１は、後述する異常検出部１０３によりタッチパネル２の異常が検出された場合、または後述する滞留検出部１０４によりエレベータのかご内における乗客の滞留が検出された場合、階床ボタン８以外の入力手段（例えば、非常呼びボタン５、戸開ボタン６、および戸閉ボタン７の少なくとも１つ）によるかごの行先階の入力方法を示す情報をインジケータ３に表示させる。これにより、タッチパネル２に異常が発生した場合におけるかごの行先階の入力方法を知らない乗客でも、かごの行先階を入力できるので、エレベータの利便性を向上させることができる。本実施形態では、表示制御部１０１は、階床ボタン８以外の入力手段によるかごの行先階の入力方法を、表示画面２ａとは異なる表示部であるインジケータ３に表示させているが、これに限定するものではなく、表示画面２ａ（例えば、階床ボタン８が表示されている領域以外の領域）に表示させても良い。
【００１７】
登録部１０２は、タッチパネル２により階床ボタン８に対するタッチ操作が検出された場合に、タッチ操作が検出された階床ボタン８により入力された行先階を登録する。本実施形態では、登録部１０２は、階床ボタン８に対するタッチ操作が検出された場合、当該タッチ操作が検出された階床ボタン８により入力された行先階をエレベータ制御装置２０に通知する。これにより、登録部１０２は、階床ボタン８により入力された行先階を登録する。
【００１８】
また、登録部１０２は、後述する異常検出部１０３によってタッチパネル２の異常が検出された場合、非常呼びボタン５、戸開ボタン６、および戸閉ボタン７の少なくとも１つ（以下、非常呼びボタン５等と記載する）によるかごの行先階の入力を可能とする。また、登録部１０２は、非常呼びボタン５等により入力されたかごの行先階を登録する。これにより、タッチパネル２に異常が発生した場合でも、エレベータのかごの行先階を登録することができるので、エレベータの利便性を向上させることができる。
【００１９】
例えば、登録部１０２は、戸開ボタン６を長押しされた場合（例えば、戸開ボタン６が、予め設定された時間、押下され続けた場合）、エレベータのかごが停止可能な階床のうち予め設定された基準階（避難階）を行先階として登録する。また、登録部１０２は、非常呼びボタン５が押下された回数と一致する階数の階床を行先階として登録する。本実施形態では、登録部１０２は、非常呼びボタン５等に対する通常の操作（すなわち、非常呼びボタン５等を１回押下する操作）とは異なる操作を、かごの行先階の入力として検出することにより、非常呼びボタン５等による行先階の入力を可能とする。
【００２０】
さらに、登録部１０２は、後述する滞留検出部１０４によって、エレベータのかご内における乗客の滞留が検出され、かつかごの行先階が登録されない場合も、非常呼びボタン５等によるかごの行先階の入力を可能とする。そして、登録部１０２は、非常呼びボタン５等により入力されたかごの行先階を登録する。これにより、タッチパネル２に異常が発生して、かご内で乗客が滞留している場合でも、エレベータのかごの行先階を登録することができるので、エレベータの利便性を向上させることができる。
【００２１】
本実施形態では、登録部１０２は、後述する異常検出部１０３によりタッチパネル２の異常が検出された場合、または後述する滞留検出部１０４によって乗客の滞留が検出された場合、一時的に、非常呼びボタン５等によるかごの行先階の入力を可能とするものとする。例えば、登録部１０２は、異常検出部１０３によりタッチパネル２の異常が検出されてから予め設定された時間経過するまで、若しくは、異常検出部１０３によりタッチパネル２の異常が検出されてから、タッチパネル２が異常から復旧するまで、非常呼びボタン５等によるかごの行先階の入力を可能とする。また、本実施形態では、登録部１０２は、後述する異常検出部１０３によってタッチパネル２の異常が検出された場合、および後述する滞留検出部１０４によって乗客の滞留が検出された場合のいずれにおいても、非常呼びボタン５等によるかごの行先階の入力を可能としているが、後述する異常検出部１０３によってタッチパネル２の異常が検出された場合、および後述する滞留検出部１０４によって乗客の滞留が検出された場合のいずれかにおいて、非常呼びボタン５等によるかごの行先階の入力を可能としても良い。
【００２２】
異常検出部１０３は、タッチパネル２（位置入力装置２ｂ）によって表示画面２ａに表示される画像に対するタッチ操作が検出され、かつ登録部１０２によってかごの行先階が登録されない場合、タッチパネル２の異常を検出する。本実施形態では、異常検出部１０３は、表示画面２ａに表示される階床ボタン８に対するタッチ操作が検出されず、表示画面２ａ上において階床ボタン８が表示される領域以外の領域に対するタッチ操作が検出された場合、タッチパネル２の異常を検出する。また、本実施形態では、異常検出部１０３は、タッチパネル２（位置入力装置２ｂ）によって表示画面２ａに表示される画像に対するタッチ操作が検出されているにも関わらず、所定時間以上継続して、登録部１０２によってかごの行先階が登録されない場合、タッチパネル２の異常を検出する。ここで、所定時間は、予め設定された時間であり、エレベータの利用者がかごに乗ってから、行先階の登録に要する時間である。
【００２３】
滞留検出部１０４は、エレベータのかご内における乗客の滞留を検出する。本実施形態では、滞留検出部１０４は、かご内の人から放出される赤外線を検出可能に設けられた焦電センサから、赤外線の検出結果を取得する。そして、滞留検出部１０４は、焦電センサによって赤外線が検出されているにも関わらず、登録部１０２によって行先階が登録されない場合、かご内での乗客の滞留を検出する。本実施形態では、滞留検出部１０４は、焦電センサによって赤外線が検出され、かつ、所定時間以上継続して、登録部１０２によって行先階が登録されない場合に、かご内での乗客の滞留を検出する。
【００２４】
または、滞留検出部１０４は、エレベータのかごにかかる荷重に基づいて、かご内での乗客の滞留を検出する。具体的には、滞留検出部１０４は、かごにかかる荷重を検出可能に設けられる荷重センサから、かごにかかる荷重を取得する。そして、滞留検出部１０４は、取得した荷重が所定荷重以上であり、かつ登録部１０２によって行先階が登録されない場合に、かご内での乗客の滞留を検出する。ここで、所定荷重は、予め設定された荷重であり、乗客がかご内に存在する場合にかごにかかる荷重である。本実施形態では、滞留検出部１０４は、取得した荷重が所定荷重以上であり、かつ、所定時間以上継続して、登録部１０２によって行先階が登録されない場合に、かご内での乗客の滞留を検出する。
【００２５】
音声出力制御部１０５は、焦電センサにより人から放出された赤外線が検出されてから、登録部１０２によって行先階が登録されずに所定時間経過するまで、階床ボタン８によるかごの行先階の入力を促す第１音声をスピーカ４から出力する。そして、音声出力制御部１０５は、人から放出された赤外線が検出されてから、行先階が登録されずに所定時間経過した場合、非常呼びボタン５等によるかごの行先階の入力方法を示す第２音声をスピーカ４から出力する。または、音声出力制御部１０５は、荷重センサから取得した荷重が所定荷重以上になってから、登録部１０２によって行先階が登録されずに所定時間経過するまで、第１音声をスピーカ４から出力する。そして、音声出力制御部１０５は、荷重センサから取得した荷重が所定荷重以上になってから、行先階が登録されずに所定時間経過した場合、第２音声をスピーカ４から出力する。これにより、タッチパネル２に異常が発生した場合におけるかごの行先階の入力方法を知らない乗客でも、かごの行先階を入力できるので、エレベータの利便性を向上させることができる。
【００２６】
図３は、本実施形態にかかるエレベータ操作盤における行先階の登録処理の流れの一例を示すフローチャートである。次に、図３を用いて、本実施形態にかかるエレベータ操作盤１における行先階の登録処理の流れについて説明する。
【００２７】
まず、異常検出部１０３は、タッチパネル２により階床ボタン８に対するタッチ操作が検出されて、登録部１０２によってかごの行先階が登録されたか否かを判断する（ステップＳ３０１）。登録部１０２によってかごの行先階が登録された場合（ステップＳ３０１：Ｙｅｓ）、異常検出部１０３は、タッチパネル２が正常であると判断する（ステップＳ３０６）。
【００２８】
階床ボタン８に対するタッチ操作が検出されず、登録部１０２によってかごの行先階が登録されないと判断した場合（ステップＳ３０１：Ｎｏ）、異常検出部１０３は、表示画面２ａにおいて階床ボタン８が表示されている領域以外の領域に対するタッチ操作が検出されたか否かを判断する（ステップＳ３０２）。表示画面２ａにおいて階床ボタン８が表示されている領域以外の領域に対するタッチ操作が検出された場合（ステップＳ３０２：Ｙｅｓ）、異常検出部１０３は、登録部１０２によってかごの行先階が登録されない状態が所定時間以上続いたか否かを判断する（ステップＳ３０３）。かごの行先階が登録されない状態が所定時間以上続いていない場合（ステップＳ３０３：Ｎｏ）、異常検出部１０３は、ステップＳ３０１に戻り、階床ボタン８に対するタッチ操作が検出されるのを待つ。
【００２９】
一方、エレベータのかごの行先階が登録されない状態が所定時間以上続いた場合（ステップＳ３０３：Ｙｅｓ）、異常検出部１０３は、タッチパネル２の異常（例えば、故障）を検出する（ステップＳ３０４）。タッチパネル２の異常が検出された場合、登録部１０２は、非常呼びボタン５等によるエレベータのかごの行先階の入力を可能とする。また、表示制御部１０１は、非常呼びボタン５等によるエレベータのかごの行先階の入力方法を示す情報をインジケータ３に表示させる。その後、登録部１０２は、非常呼びボタン５等により入力されたかごの行先階を登録する。
【００３０】
また、階床ボタン８に対するタッチ操作が検出されず（ステップＳ３０１：Ｎｏ）、かつ表示画面２ａにおいて階床ボタン８が表示されている領域以外の領域に対するタッチ操作も検出されない場合（ステップＳ３０２：Ｎｏ）、滞留検出部１０４は、焦電センサによって赤外線が検出されたか、または荷重センサから取得する荷重（エレベータのかごにかかる荷重）が所定荷重以上であるか否かを判断する（ステップＳ３０５）。焦電センサにより赤外線が検出されなかった場合、または荷重センサから取得する荷重が所定荷重より小さい場合（ステップＳ３０５：Ｎｏ）、異常検出部１０３は、かごに乗客が居ないと判断し、タッチパネル２が正常であると判断する（ステップＳ３０６）。そして、登録部１０２は、階床ボタン８に対するタッチ操作が検出されるのを待つ。
【００３１】
焦電センサにより赤外線が検出された場合、または荷重センサから取得する荷重が所定荷重以上である場合（ステップＳ３０５：Ｙｅｓ）、滞留検出部１０４は、登録部１０２によって行先階が登録されずに所定時間経過したか否かを判断する（ステップＳ３０７）。また、登録部１０２によって行先階が登録されずに所定時間経過するまで（ステップＳ３０７：Ｎｏ）、滞留検出部１０４は、かご内の乗客が行先階を入力する操作を行っていないと判断し、タッチパネル２が正常であると判断する（ステップＳ３０６）。そして、音声出力制御部１０５は、登録部１０２によって行先階が登録されずに所定時間経過するまで、スピーカ４から第１音声を出力する。
【００３２】
一方、登録部１０２によって行先階が登録されずに所定時間経過した場合（ステップＳ３０７：Ｙｅｓ）、音声出力制御部１０５は、かご内での乗客の滞留を検出するとともに、タッチパネル２に異常があると判断して、第２音声をスピーカ４から出力する（ステップＳ３０８）。その後、登録部１０２は、非常呼びボタン５等により入力されたかごの行先階を登録する。
【００３３】
このように、本実施形態のエレベータ操作盤１によれば、タッチパネル２に異常が発生した場合でも、エレベータのかごの行先階を登録することができるので、エレベータの利便性を向上させることができる。
【００３４】
なお、本実施形態のエレベータ操作盤１で実行される制御プログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３５】
さらに、本実施形態のエレベータ操作盤１で実行される制御プログラムを、インターネット等のネットワークに接続されたコンピュータ上に格納し、ネットワーク経由でダウンロードさせることにより提供するように構成しても良い。また、本実施形態のエレベータ操作盤１で実行される制御プログラムをインターネット等のネットワーク経由で提供または配布するように構成しても良い。
【００３６】
本実施形態のエレベータ操作盤１で実行される制御プログラムは、上述した各部（表示制御部１０１、登録部１０２、異常検出部１０３、滞留検出部１０４、および音声出力制御部１０５）を含むモジュール構成となっており、実際のハードウェアとしてはＣＰＵが上記ＲＯＭから制御プログラムを読み出して実行することにより上記各部が主記憶装置上にロードされ、表示制御部１０１、登録部１０２、異常検出部１０３、滞留検出部１０４、および音声出力制御部１０５が主記憶装置上に生成されるようになっている。
【００３７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００３８】
１  エレベータ操作盤、２  タッチパネル、２ａ  表示画面、２ｂ  位置入力装置、３  インジケータ、４  スピーカ（出力部）、５  非常呼びボタン（第１ボタン）、６  戸開ボタン（第１ボタン）、７  戸閉ボタン、８  階床ボタン（第２ボタン）、１０  コントロールユニット、１０１  表示制御部、１０２  登録部、１０３  異常検出部、１０４  滞留検出部、１０５  音声出力制御部。
【図１】
2019043681.tif 000003
【図２】
2019043681.tif 000004
【図３】
2019043681.tif 000005
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
エレベータのかごの行先階以外の情報を入力可能な第１ボタンと、
画像を表示可能な表示画面を有し、当該表示画面に表示される画像に対するタッチ操作を検出可能なタッチパネルと、
前記かごの行先階を入力可能な第２ボタンを前記表示画面に表示させる表示制御部と、
前記タッチパネルにより前記第２ボタンに対するタッチ操作が検出された場合、前記第２ボタンにより入力された前記かごの行先階を登録する登録部と、
前記かご内における乗客の滞留を検出する滞留検出部と、を備え、
前記登録部は、前記かご内において乗客の滞留が検出され、かつ前記かごの行先階が登録されない場合、前記第１ボタンによる前記かごの行先階の入力を可能とし、前記第１ボタンにより入力された前記かごの行先階を登録する、エレベータ操作盤。
【請求項２】
前記表示画面に表示される画像に対するタッチ操作が検出され、かつ前記かごの行先階が登録されない場合、前記タッチパネルの異常を検出する異常検出部をさらに備え、
前記登録部は、さらに、前記タッチパネルの異常が検出された場合、前記第１ボタンによる前記かごの行先階の入力を可能とし、前記第１ボタンにより入力された前記かごの行先階を登録する請求項１に記載のエレベータ操作盤。
【請求項３】
前記異常検出部は、前記第２ボタンに対するタッチ操作が検出されず、前記表示画面において前記第２ボタンが表示される領域以外の領域に対するタッチ操作が検出された場合、前記タッチパネルの異常を検出する請求項２に記載のエレベータ操作盤。
【請求項４】
前記滞留検出部は、前記かご内の乗客から放出される赤外線を検出可能な焦電センサから、赤外線の検出結果を取得し、前記焦電センサにより赤外線が検出されかつ前記かごの行先階が登録されない場合、前記かご内における乗客の滞留を検出する請求項１から３のいずれか一に記載のエレベータ操作盤。
【請求項５】
前記滞留検出部は、前記かごにかかる荷重が予め設定された荷重以上であり、かつ前記かごの行先階が登録されない場合、前記かご内における乗客の滞留を検出する請求項１から４のいずれか一に記載のエレベータ操作盤。
【請求項６】
前記表示制御部は、前記異常検出部によって前記タッチパネルの異常が検出された場合、前記第１ボタンによる前記かごの行先階の入力方法を示す情報を、前記表示画面または当該表示画面とは異なる表示部に表示させる請求項２または３に記載のエレベータ操作盤。
【請求項７】
前記かご内において乗客の滞留が検出されてから予め設定された時間が経過するまで、前記第２ボタンによる前記かごの行先階の入力を促す第１音声を出力し、前記かご内において乗客の滞留が検出されてから、前記第２ボタンによって前記かごの行先階が入力されずに、前記予め設定された時間が経過した場合、前記タッチパネルの異常と判断して、前記第１ボタンによる前記かごの行先階の入力方法を示す第２音声を出力する出力部をさらに備える請求項１から６のいずれか一に記載のエレベータ操作盤。
【手続補正２】
【補正対象書類名】明細書
【補正対象項目名】０００６
【補正方法】変更
【補正の内容】
【０００６】
実施形態のエレベータ操作盤は、第１ボタンと、タッチパネルと、表示制御部と、登録部と、滞留検出部と、を備える。第１ボタンは、エレベータのかごの行先階以外の情報を入力可能である。タッチパネルは、画像を表示可能な表示画面を有し、当該表示画面に表示される画像に対するタッチ操作を検出可能である。表示制御部は、かごの行先階を入力可能な第２ボタンを表示画面に表示させる。登録部は、タッチパネルにより第２ボタンに対するタッチ操作が検出された場合、第２ボタンにより入力されたかごの行先階を登録する。滞留検出部は、かご内における乗客の滞留を検出する。登録部は、かご内において乗客の滞留が検出され、かつかごの行先階が登録されない場合、第１ボタンによるかごの行先階の入力を可能とし、第１ボタンにより入力されたかごの行先階を登録する。